(57)【要約】      （修正有）【課題】英単語・熟語を記憶できる英語練習帳を提供する。【解決手段】被暗記英語Ｅが表記された見本部１と発音が表記された音読部２と、被暗記英語Ｅの意味を示す翻訳語意Ｊが表記された日本語部３とを、有し、見本部１と日本語部３の下方位置に、被暗記英語Ｅ及び翻訳語意Ｊを複数回手書きするための第１反復練習部１１を設け、第１反復練習部１１の下方位置に、翻訳語意Ｊが表記されると共に被暗記英語Ｅの解答欄７を有し、翻訳語意Ｊに対応する被暗記英語Ｅのテスト部６を配設し、テスト部６の下方位置に、テスト部６にて正解できなかった被暗記英語Ｅ及び翻訳語意Ｊを複数回手書きするための第２反復練習部１２を設け、第２反復練習部１２の下方位置に、翻訳語意Ｊが表記されると共に被暗記英語Ｅの解答欄９を有する再テスト部８と、再テスト部８にて正解できなかった被暗記英語Ｅと翻訳語意Ｊを複数回手書きするための第３反復練習部１３とを、備える。【選択図】図１
2013233752.tif 000002
【特許請求の範囲】
【請求項１】
英単語又は熟語から成る被暗記英語（Ｅ）が表記された見本部（１）と、上記被暗記英語（Ｅ）の発音が表記された音読部（２）と、上記被暗記英語（Ｅ）の意味を示す翻訳語意（Ｊ）が表記された日本語部（３）とを、有し、
上記見本部（１）及び上記日本語部（３）の下方位置に、上記被暗記英語（Ｅ）及び上記翻訳語意（Ｊ）を複数回にわたって繰り返し手書きするための第１反復練習部（１１）を設け、
該第１反復練習部（１１）の下方位置に、上記翻訳語意（Ｊ）が表記されると共に上記被暗記英語（Ｅ）を記入するための解答欄（７）を有し、上記翻訳語意（Ｊ）に対応する上記被暗記英語（Ｅ）を記憶しているかを確かめるためのテスト部（６）を配設し、
さらに、該テスト部（６）の下方位置に、該テスト部（６）にて正解できなかった上記被暗記英語（Ｅ）及び上記翻訳語意（Ｊ）を複数回にわたって繰り返し手書きするための第２反復練習部（１２）を設け、
該第２反復練習部（１２）の下方位置に、上記翻訳語意（Ｊ）が表記されると共に上記被暗記英語（Ｅ）を記入するための解答欄（９）を有する再テスト部（８）と、該再テスト部（８）にて正解できなかった上記被暗記英語（Ｅ）及び上記翻訳語意（Ｊ）を複数回にわたって繰り返し手書きするための第３反復練習部（１３）とを、備えたことを特徴とする英語練習帳。
【請求項２】
上記第１反復練習部（１１）は、上記被暗記英語（Ｅ）及び上記翻訳語意（Ｊ）を６回〜１２回にわたって手書きにて記入させるように罫線で６段〜１２段に区切られ、
最上段の第１行目に、上記被暗記英語（Ｅ）及び上記翻訳語意（Ｊ）が薄墨状に表記されたなぞり書き部（４）を有し、第２行目以下に、上記被暗記英語（Ｅ）及び上記翻訳語意（Ｊ）を記入させるための空白欄を有する書き写し部（５）を配設している請求項１記載の英語練習帳。
【請求項３】
上記テスト部（６）及び上記再テスト部（８）の上記解答欄（７）（９）に上記被暗記英語（Ｅ）を記入する際、該解答欄（７）（９）よりも上方位置に表記され、又は、手書きした上記被暗記英語（Ｅ）が見えないように隠すための隠しシート体（１０）を備えている請求項１又は２記載の英語練習帳。
【請求項４】
上記テスト部（６）及び上記再テスト部（８）が、黒色以外のインクで刷られている請求項１，２又は３記載の英語練習帳。
【発明の詳細な説明】
【技術分野】
【０００１】
本発明は、英語練習帳に関する。
【背景技術】
【０００２】
従来、英語を学習する学生が英単語を覚えるためのツールとして、英単語集や英習字帳が利用されている（特許文献１参照）。
【先行技術文献】
【特許文献】
【０００３】
【特許文献１】特開平６−９２０６４号公報
【発明の概要】
【発明が解決しようとする課題】
【０００４】
しかし、特許文献１記載の英習字帳は、英単語を僅か２回〜３回だけ漫然と書かせるものであるため、英語が嫌いな学生や英語が苦手な学生は、英単語を確実に覚えることができなかった。また、英単語を２回〜３回書いて練習したことで、実際には記憶できていない英単語を記憶したものと思い込んでしまい、覚えていない英単語を習得しないまま放置してしまうという欠点があった。
【０００５】
そこで、本発明は、英語が嫌い又は苦手な学生であっても英単語・熟語を確実に記憶できる英語練習帳を提供することを目的とする。
【課題を解決するための手段】
【０００６】
本発明に係る英語練習帳は、英単語又は熟語から成る被暗記英語が表記された見本部と、上記被暗記英語の発音が表記された音読部と、上記被暗記英語の意味を示す翻訳語意が表記された日本語部とを、有し、上記見本部及び上記日本語部の下方位置に、上記被暗記英語及び上記翻訳語意を複数回にわたって繰り返し手書きするための第１反復練習部を設け、該第１反復練習部の下方位置に、上記翻訳語意が表記されると共に上記被暗記英語を記入するための解答欄を有し、上記翻訳語意に対応する上記被暗記英語を記憶しているかを確かめるためのテスト部を配設し、さらに、該テスト部の下方位置に、該テスト部にて正解できなかった上記被暗記英語及び上記翻訳語意を複数回にわたって繰り返し手書きするための第２反復練習部を設け、該第２反復練習部の下方位置に、上記翻訳語意が表記されると共に上記被暗記英語を記入するための解答欄を有する再テスト部と、該再テスト部にて正解できなかった上記被暗記英語及び上記翻訳語意を複数回にわたって繰り返し手書きするための第３反復練習部とを、備えたものである。
【０００７】
また、上記第１反復練習部は、上記被暗記英語及び上記翻訳語意を６回〜１２回にわたって手書きにて記入させるように罫線で６段〜１２段に区切られ、最上段の第１行目に、上記被暗記英語及び上記翻訳語意が薄墨状に表記されたなぞり書き部を有し、第２行目以下に、上記被暗記英語及び上記翻訳語意を記入させるための空白欄を有する書き写し部を配設しているものである。
また、上記テスト部及び上記再テスト部の上記解答欄に上記被暗記英語を記入する際、該解答欄よりも上方位置に表記され、又は、手書きした上記被暗記英語が見えないように隠すための隠しシート体を備えているものである。
また、上記テスト部及び上記再テスト部が、黒色以外のインクで刷られているものである。
【発明の効果】
【０００８】
本発明の英語練習帳によれば、英単語又は熟語を覚えるための単純な作業を正しい順序でこなすうちに、英語が嫌い又は苦手な学生でも無理なく英単語又は熟語を確実に覚えることができる。英単語又は熟語を音読しながら反復して手書き練習をすることで、脳を活性化でき、漫然と手だけが動くという状態になりにくく、徹底した反復練習により、長期的に安定した記憶を図り、英単語又は熟語を確実に覚えることができる。英単語又は熟語と、その日本語の意味とを、セットで併せて覚えることができる。記憶確認のテストを動機づけとし、適度な緊張感を維持でき、英語が嫌い又は苦手な学生のやる気を促すことができる。記憶できていない英単語又は熟語を放置することなく徹底的に記憶を追及し、思い込みによる記憶漏れを防止できる。覚えにくい英単語又は熟語が一目瞭然となり、そこを重点的に復習することで、覚えにくい英単語又は熟語を確実に覚えることができる。従
って、英語が嫌い又は苦手な学生の英語力を向上して、英語の成績をアップさせることができる。英単語又は熟語を覚えるための反復練習から記憶確認のテストまでの作業を１ペ
ージで完結することができ、非常に使い勝手が良い。
【図面の簡単な説明】
【０００９】
【図１】本発明の実施の一形態を示した平面図である。
【図２】本発明の英語練習帳の使用状態を示した平面図である。
【図３】本発明の英語練習帳の使用状態を示した平面図である。
【図４】本発明の英語練習帳の使用状態を示した平面図である。
【図５】本発明の英語練習帳の使用状態を示した平面図である。
【図６】本発明の英語練習帳の使用状態を示した平面図である。
【図７】本発明の英語練習帳の使用状態を示した平面図である。
【図８】本発明の他の実施形態を示した平面図である。
【図９】本発明の英語練習帳を小冊子とした使用状態の斜視図である。
【発明を実施するための形態】
【００１０】
以下、実施の形態を示す図面に基づき本発明を詳説する。
図１に示すように、本発明の英語練習帳は、被暗記英語（英単語）Ｅが表記された見本部１と、被暗記英語Ｅの発音が表記された音読部２と、被暗記英語Ｅの（品詞と）意味を示す翻訳語意Ｊが表記された日本語部３とを、有している。見本部１及び音読部２及び日本語部３の下方位置に、被暗記英語Ｅ及び翻訳語意Ｊを複数回にわたって繰り返し手書きするための第１反復練習部１１を設け、第１反復練習部１１の下方位置に、翻訳語意Ｊが表記されると共に被暗記英語Ｅを記入するための解答欄７を有し、翻訳語意Ｊに対応する被暗記英語Ｅを記憶しているかを確かめるためのテスト部６を配設している。さらに、テスト部６の下方位置に、テスト部６にて正解できなかった被暗記英語Ｅ及び翻訳語意Ｊを複数回にわたって繰り返し手書きするための第２反復練習部１２を設け、第２反復練習部１２の下方位置に、翻訳語意Ｊが表記されると共に被暗記英語Ｅを記入するための解答欄９を有する再テスト部８と、再テスト部８にて正解できなかった被暗記英語Ｅ及び翻訳語意Ｊを複数回にわたって繰り返し手書きするための第３反復練習部１３とを、備えている。
【００１１】
本発明の英語練習帳は、所定規格の用紙に横書きで印刷されたものであって、１ページに３つ〜４つの被暗記英語（英単語又は英熟語）Ｅを載せるのが好ましい。
音読部２には、被暗記英語Ｅのカタカナ発音と発音記号とアクセントが表記されている。
日本語部３には、被暗記英語Ｅの意味を示す翻訳語意Ｊと、被暗記英語Ｅの品詞（簡略化したもの）が、表記され、その他、動詞の活用形や１人称・２人称・３人称の区別、単数代名詞・複数代名詞の区別、主格・所有格・目的格の区別等が記載されていても良い。
【００１２】
第１反復練習部１１は、被暗記英語Ｅ及び翻訳語意Ｊを６回〜１２回にわたって手書きにて記入させるように罫線で６段〜１２段に区切られている。図例に示すように、より好ましくは、第１反復練習部１１が９段（又は１０段）に区切られるのが最適である。第１反復練習部１１の段数が６段未満であると、被暗記英語（英単語）Ｅ及び翻訳語意Ｊの手書き練習が不十分となり、１２段を越えると、手書き練習の反復回数が多くなり集中力が低下しやすくなる。
第１反復練習部１１の最上段の第１行目に、被暗記英語Ｅ及び翻訳語意Ｊが薄墨状に表記されたなぞり書き部４を有し、第２行目以下に、被暗記英語Ｅ及び翻訳語意Ｊを記入させるための空白欄を有する書き写し部５を配設している。
第２反復練習部１２は、被暗記英語Ｅ及び翻訳語意Ｊを記入させるための空白欄を有し、被暗記英語Ｅ及び翻訳語意Ｊを３回手書き練習させるように罫線で３段に区切られている。なお、第２反復練習部１２の段数は、３段〜５段に設定するのが好ましい。
第３反復練習部１３は、被暗記英語Ｅ及び翻訳語意Ｊを記入させるための空白欄を有し、被暗記英語Ｅ及び翻訳語意Ｊを２回手書き練習させるように罫線で２段に区切られている。なお、第３反復練習部１３の段数は、２段〜５段に設定するのが好ましい。
【００１３】
図３と図６に示すように、テスト部６及び再テスト部８の解答欄７，９に被暗記英語Ｅを記入する際、解答欄７，９よりも上方位置に表記され、又は、手書きした被暗記英語Ｅが見えないように隠すための隠しシート体１０を備えている。
隠しシート体１０は、透明でない（非透明の）セルロイドシートから成り、用紙と同等乃至少し小さいサイズに形成されるのが望ましい。隠しシート体１０は、透視できないものであれば、下敷きや厚紙等を用いても良い。
【００１４】
また、本発明の英語練習帳は、テスト部６及び再テスト部８が、黒色以外のインクで刷られている。
本発明の英語練習帳に於て、テスト部６及び再テスト部８以外の部分は、黒色のインクで刷られており、テスト部６及び再テスト部８のみインクの色を変えることで、その他の部分よりも強調されて、適度な緊張感と集中力をもって記憶確認テストに臨むように構成されている。
【００１５】
上述した本発明の英語練習帳の使用方法（作用）について説明する。
図１に於て、見本部１、音読部２、日本語部３を見て確認し、被暗記英語（英単語）Ｅ及び翻訳語意Ｊ、発音及びアクセントを認識する。次に、図２に示すように、被暗記英語Ｅ及び翻訳語意Ｊを発音及びアクセントにならって音読しながら、第１反復練習部１１の最上段に表記されたなぞり書き部４をなぞって、その下の書き写し部５に８回被暗記英語（英単語）Ｅ及び翻訳語意Ｊを手書きで練習する。
【００１６】
次に、図３に示すように、テスト部６よりも上の部分、具体的には、被暗記英語Ｅ及び翻訳語意Ｊと発音が表記されている見本部１と音読部２と日本語部３と、被暗記英語Ｅ及び翻訳語意Ｊが手書きで記入された第１反復練習部１１とを、隠しシート体１０で隠し、テスト部６に表記された翻訳語意Ｊを見て、それに対応する被暗記英語Ｅを解答欄７に記入する。そして、図４に示すように、隠しシート体１０を外し、解答欄７に正しい被暗記英語Ｅが記入できているか確認し答え合せをする。この際、テスト部６にて正解できた被暗記英語Ｅについては、記憶が完了したものとして練習を終了する。このようにして、第１反復練習部１１にて手書き練習した被暗記英語Ｅが記憶できているか確かめる。一方、テスト部６にて正解できなかった被暗記英語Ｅについて、斜線（／）乃至バツ（×）を付けると共に、下方の再テスト部８に表記された翻訳語意Ｊをマル（○）で囲って、どの被暗記英語Ｅが覚えられていないか判るようにする。
【００１７】
図５に示すように、テスト部６で間違えた被暗記英語Ｅとその翻訳語意Ｊを、第２反復練習部１２に３回手書きで間違い直し（練習）する。図６に於て、再テスト部８よりも上の部分、具体的には、被暗記英語Ｅ及び翻訳語意Ｊと発音が表記されている見本部１と音読部２と日本語部３と、被暗記英語Ｅ及び翻訳語意Ｊが手書きで記入された第１反復練習部１１と、テスト部６及び第２反復練習部１２とを、隠しシート体１０で隠し、マル（○）で囲まれた再テスト部８の翻訳語意Ｊを見て、それに対応する被暗記英語Ｅを解答欄９に記入する。そして、図７に示すように、隠しシート体１０を外し、解答欄９に正しい被暗記英語Ｅが記入できているか答え合せして、正解できた被暗記英語Ｅについては練習を終了する。再テスト部８にて正解できなかった被暗記英語Ｅについて、斜線（／）乃至バツ（×）を付けると共に、再度間違えた被暗記英語Ｅとその翻訳語意Ｊを、第３反復練習部１３に２回手書きで間違い直し（練習）して、練習を終了する。第３反復練習部１３まで練習した被暗記英語Ｅが覚えにくい英単語であることがひと目で解り、覚えにくい被暗記英語Ｅを重点的に復習することで、ムラなく英単語を覚えることができる。
【００１８】
図８は、本発明の英語練習帳の他の実施形態を示した平面図である。
図８に於て、被暗記英語（熟語）Ｅが表記された見本部１と、被暗記英語Ｅの発音が表記された音読部２と、被暗記英語Ｅの意味を示す翻訳語意Ｊが表記された日本語部３とを、有している。見本部１及び音読部２及び日本語部３の下方位置に、被暗記英語Ｅ及び翻訳語意Ｊを複数回にわたって繰り返し手書きするための第１反復練習部１１を設け、第１反復練習部１１の下方位置に、翻訳語意Ｊが表記されると共に被暗記英語Ｅを記入するための解答欄７を有し、翻訳語意Ｊに対応する被暗記英語Ｅを記憶しているかを確かめるためのテスト部６を配設している。さらに、テスト部６の下方位置に、テスト部６にて正解できなかった被暗記英語Ｅ及び翻訳語意Ｊを複数回にわたって繰り返し手書きするための第２反復練習部１２を設け、第２反復練習部１２の下方位置に、翻訳語意Ｊが表記されると共に被暗記英語Ｅを記入するための解答欄９を有する再テスト部８と、再テスト部８にて正解できなかった被暗記英語Ｅ及び翻訳語意Ｊを複数回にわたって繰り返し手書きするための第３反復練習部１３とを、備えている。
被暗記英語Ｅが熟語である点を除いて、その他の構成及び作用については、上述の構成及び作用と同様であるため説明を省略する。
【００１９】
図９に示すように、本発明の英語練習帳は、複数枚を綴じて冊子Ｂとして製本されているのが望ましく、隠しシート体１０は冊子Ｂに１枚あれば良い。
【００２０】
なお、本発明は、設計変更可能であって、例えば、第１反復練習部１１に、なぞり書き部４を設けることなく書き写しによる手書き練習を行わせるものであって良い。
【００２１】
以上のように、本発明に係る英語練習帳は、英単語又は熟語から成る被暗記英語Ｅが表記された見本部１と、被暗記英語Ｅの発音が表記された音読部２と、被暗記英語Ｅの意味を示す翻訳語意Ｊが表記された日本語部３とを、有し、見本部１及び日本語部３の下方位置に、被暗記英語Ｅ及び翻訳語意Ｊを複数回にわたって繰り返し手書きするための第１反復練習部１１を設け、第１反復練習部１１の下方位置に、翻訳語意Ｊが表記されると共に被暗記英語Ｅを記入するための解答欄７を有し、翻訳語意Ｊに対応する被暗記英語Ｅを記憶しているかを確かめるためのテスト部６を配設し、さらに、テスト部６の下方位置に、テスト部６にて正解できなかった被暗記英語Ｅ及び翻訳語意Ｊを複数回にわたって繰り返し手書きするための第２反復練習部１２を設け、第２反復練習部１２の下方位置に、翻訳語意Ｊが表記されると共に被暗記英語Ｅを記入するための解答欄９を有する再テスト部８と、再テスト部８にて正解できなかった被暗記英語Ｅ及び翻訳語意Ｊを複数回にわたって繰り返し手書きするための第３反復練習部１３とを、備えたので、被暗記英語Ｅを覚えるための単純な作業を正しい順序でこなすうちに、英語が嫌い又は苦手な学生でも無理なく被暗記英語Ｅを確実に覚えることができる。被暗記英語Ｅを音読しながら反復して手書き練習をすることで、脳を活性化でき、漫然と手だけが動くという状態になりにくく、徹底した反復練習により、長期的に安定した記憶を図り、被暗記英語Ｅを確実に覚えることができる。被暗記英語Ｅと、翻訳語意Ｊとを、セットで併せて覚えることができる。記憶確認のテストを動機づけとし、適度な緊張感を維持でき、英語が嫌い又は苦手な学生のやる気を促すことができる。記憶できていない被暗記英語Ｅを放置することなく徹底的に記憶を追及し、思い込みによる記憶漏れを防止できる。覚えにくい被暗記英語Ｅが一目瞭然となり、そこを重点的に復習することで、覚えにくい被暗記英語Ｅを確実に覚えることができる。従って、英語が嫌い又は苦手な学生の英語力を向上して、英語の成績をアップさせることができる。被暗記英語Ｅを覚えるための反復練習から記憶確認のテストまでの作業を１ページで完結することができ、非常に使い勝手が良い。
【００２２】
また、第１反復練習部１１は、被暗記英語Ｅ及び翻訳語意Ｊを６回〜１２回にわたって手書きにて記入させるように罫線で６段〜１２段に区切られ、最上段の第１行目に、被暗記英語Ｅ及び翻訳語意Ｊが薄墨状に表記されたなぞり書き部４を有し、第２行目以下に、被暗記英語Ｅ及び翻訳語意Ｊを記入させるための空白欄を有する書き写し部５を配設しているので、音読しながら書くという簡単で機械的なトレーニングにより脳を活性化させ、脳が活性化した状態下で６回〜１２回の反復練習を繰り返すことで、被暗記英語Ｅ及び翻訳語意Ｊの安定した長期的記憶を図ることができる。なぞり書き部４から書き写し部５へと移行させて、作業の難易度を段階的に上げることができ、英語が嫌い又は苦手な学生であっても取り掛かり易く、記憶が容易となる。
【００２３】
また、テスト部６及び再テスト部８の解答欄７，９に被暗記英語Ｅを記入する際、解答欄７，９よりも上方位置に表記され、又は、手書きした被暗記英語Ｅが見えないように隠すための隠しシート体１０を備えているので、翻訳語意Ｊに対応する被暗記英語Ｅを記憶しているかを確実に確かめることができ、正しい自己評価をすることが学生の励みになる。英語が嫌い又は苦手な学生を現実の記憶結果と向き合わせ、覚えられていないものに課題として取り組ませることで、英語力を向上させることができる。
【００２４】
また、テスト部６及び再テスト部８が、黒色以外のインクで刷られているので、テスト部６及び再テスト部８が強調されて、適度な緊張感と集中力をもって記憶確認テストに臨むことができる。
【符号の説明】
【００２５】
１  見本部
２  音読部
３  日本語部
４  なぞり書き部
５  書き写し部
６  テスト部
７  解答欄
８  再テスト部
９  解答欄
１０  隠しシート体
１１  第１反復練習部
１２  第２反復練習部
１３  第３反復練習部
Ｅ  被暗記英語
Ｊ  翻訳語意
【図１】
2013233752.tif 000003
【図２】
2013233752.tif 000004
【図３】
2013233752.tif 000005
【図４】
2013233752.tif 000006
【図５】
2013233752.tif 000007
【図６】
2013233752.tif 000008
【図７】
2013233752.tif 000009
【図８】
2013233752.tif 000010
【図９】
2013233752.tif 000011